(57)【要約】【課題】フランジ管の製造コストの低減、製造効率の向上、軽量化を図ることができると共に、フランジ管のフランジの平坦部とテーパ部に求められる精度を確実に得て、これらの精度を安定して維持することができる。【解決手段】フランジ管１の端部に設けられる管端部材２であり、フランジ管１の管本体３の端部に嵌合可能な筒部２１と、管本体３への嵌合側と逆側の筒部２１の端から外方に略直角で折り曲げられて形成された平坦部２２と、平坦部２２の外端から筒部２１側に略直角で折り曲げられて形成された延在部２３と、延在部２３の先端から筒部２１に近づくように傾斜して延びるテーパ部２４と、テーパ部２４の先端から筒部２１と平坦部２２と延在部２３で囲まれる空間Ｓ内に折り返される折返し部２５を備え、折返し部２５の先端がテーパ部２４を外側に付勢するようにテーパ部２４に当接する。【選択図】図２
2020172959.tif 000002
【特許請求の範囲】
【請求項１】
フランジ管の端部に設けられる管端部材であって、
フランジ管の管本体の端部に嵌合可能な筒部と、
前記管本体への嵌合側と逆側の前記筒部の端から外方に略直角で折り曲げられて形成された平坦部と、
前記平坦部の外端から前記筒部側に略直角で折り曲げられて形成された延在部と、
前記延在部の先端から前記筒部に近づくように傾斜して延びるテーパ部と、
前記テーパ部の先端から前記筒部と前記平坦部と前記延在部で囲まれる空間内に折り返される折返し部を備え、
前記折返し部の先端が前記テーパ部を外側に付勢するように前記テーパ部に当接することを特徴とする管端部材。
【請求項２】
前記折返し部が前記平坦部に当接するようにして形成されていることを特徴とする請求項１記載の管端部材。
【請求項３】
請求項１又は２記載の管端部材の前記筒部が管本体の少なくとも片側の端部に嵌合され、
前記筒部と前記管本体が嵌合された部分で溶接部によって溶接され、
前記管端部材の前記テーパ部の前記管本体への嵌合側の最も端に位置する端部と前記溶接部とが前記管本体の軸方向に２０ｍｍ以上離れていることを特徴とするフランジ管。
【請求項４】
自動車に搭載される自動車用部品であることを特徴とする請求項３記載のフランジ管。
【請求項５】
請求項３又は４記載のフランジ管が一方のフランジ管と他方のフランジ管として用いられ、
前記一方のフランジ管に設けられている一の前記管端部材の前記平坦部と、前記他方のフランジ管に設けられている他の前記管端部材の前記平坦部とが互いに当接するように配置され、
前記一の管端部材の前記延在部及び前記テーパ部と前記他の管端部材の前記延在部及び前記テーパ部を覆うようにバンド締結具が取り付けられて締結されることを特徴とするフランジ管のバンド継手構造。
【請求項６】
請求項２記載の管端部材の製造方法であって、
筒状の中間材の端部に形成された渦巻き状に巻き込まれたカール部を押し潰すようにして、前記管端部材の前記平坦部、前記延在部、前記テーパ部及び前記折返し部を形成する工程を備えることを特徴とする管端部材の製造方法。
【請求項７】
請求項１〜３の何れかに記載の管端部材の製造方法であって、
筒体を、若しくは板材から形成された筒体を順次プレス成形して、前記平坦部と前記延在部と前記テーパ部と前記折返し部を形成する工程を備えることを特徴とする管端部材の製造方法。
【発明の詳細な説明】
【技術分野】
【０００１】
本発明は、例えば自動車の排気部品等として用いられるフランジ管の端部に設けられる管端部材、フランジ管及びフランジ管のバンド継手構造に関する。
【背景技術】
【０００２】
従来、断面視略山形のバンドでフランジ管を相互に締結するバンド継手構造が知られており、このバンド継手構造で用いられるフランジ管として図９のフランジ管１１がある。このフランジ管１１は、管本体１２と、管本体１２の端部に設けられるリング状の環体１３を有する。環体１３は、フランジを構成し、管本体１２の軸方向の外側に配置される平坦面１３１と、その内側に配置されるテーパ面１３２を備え、リング状の中間材を切削加工して形成されている切削部材である。そして、環体１３の内周面１３３は管本体１２の外周面１２１と略同一径で形成されて、管本体１２の端部の外周面１２１に一部が重なるようにして外嵌され、テーパ面１３２の内端周辺が溶接部１４で溶接されて管本体１２と環体１３が固定されている。一方のフランジ管１１と他方のフランジ管１１は平坦面１３１・１３１が互いに当接するように配置され、断面視略山形のバンド１４が一方の環体１３と他方の環体１３を覆うように取り付けられ、バンド締結具１４によって締結される。
【０００３】
また、別のフランジ管として図１０のフランジ管１６がある。このフランジ管１６は、管本体１７の端部に折返し加工を施してフランジ１７が形成されているものである。フランジ１８は、管本体１７の軸方向の外側に配置される平坦部１８１と、平坦部１８１から管本体１７の軸方向の内側に折り返され、管本体１７の外周面１７１と略平行に延びる延在部１８２と、延在部１８２の先端から外周面１７１に近づくように傾斜して延びるテーパ部１８３を備える。一方のフランジ管１６と他方のフランジ管１６は平坦部１８１・１８１が互いに当接するように配置され、断面視略山形のバンド締結具１９が一方のフランジ１８と他方のフランジ１８を覆うように取り付けられ、バンド締結具１９によって締結される。
【０００４】
尚、特許文献１には、略山形のバンドでフランジ管が締結される構造が開示されている。
【先行技術文献】
【特許文献】
【０００５】
【特許文献１】特開２００３−１３７３３号公報
【発明の概要】
【発明が解決しようとする課題】
【０００６】
ところで、図９のフランジ管１１は、ステンレスのような金属製のブロック材をリング状の中間材として用い、この中間材を切削加工して環体１３を形成し、この環体１３でフランジを構成するものであるため、材料コストと加工コストが高く、又、加工時間にも非常に時間がかかり、フランジ管の製造効率に劣るという問題がある。更に、ブロック材の切削加工で形成された環体１３は、全体に亘って中実の部材であるため、環体１３及びフランジ管１１の重量が重くなるという問題もある。
【０００７】
他方において、図１０のフランジ管１６は、管本体１７の端部に折返し加工を施してフランジ１８を形成するものであるため、低コスト、短時間で得ることができるものの、フランジ１８の平坦部１８１、延在部１８２、テーパ部１８３で囲まれる部分が完全に中空であるため、平坦部１８１に求められる精度やテーパ部１８３に求められる精度を得て、これらの精度を安定して維持することが難しいという別の問題がある。
【０００８】
本発明は上記課題に鑑み提案するものであって、フランジ管の製造コストの低減、製造効率の向上、軽量化を図ることを可能にすると共に、フランジ管のフランジの平坦部とテーパ部に求められる精度を確実に得て、これらの精度を安定して維持することを可能にするフランジ管の管端部材、この管端部材を備えるフランジ管、及びこのフランジ管のバンド継手構造を提供することを目的とする。
【課題を解決するための手段】
【０００９】
本発明の管端部材は、フランジ管の端部に設けられる管端部材であって、フランジ管の管本体の端部に嵌合可能な筒部と、前記管本体への嵌合側と逆側の前記筒部の端から外方に略直角で折り曲げられて形成された平坦部と、前記平坦部の外端から前記筒部側に略直角で折り曲げられて形成された延在部と、前記延在部の先端から前記筒部に近づくように傾斜して延びるテーパ部と、前記テーパ部の先端から前記筒部と前記平坦部と前記延在部で囲まれる空間内に折り返される折返し部を備え、前記折返し部の先端が前記テーパ部を外側に付勢するように前記テーパ部に当接することを特徴とする。
これによれば、フランジ管のフランジの構成部分を切削加工せずに、例えば筒体又は板材をプレス成形で板金加工する等で得ることができることから、フランジ管の製造コストの低減、製造効率の向上を図ることができる。また、ブロック材の切削加工で形成されたフランジのように全体に亘って中実になることがないことから、フランジの構成部分、フランジ管の軽量化を図ることができる。また、平坦部、延在部、テーパ部で囲まれる部分が完全に中空になることなく、当該部分に折返し部が設けられ、折返し部の先端がテーパ部を外側に付勢するようにテーパ部に当接することから、局所的な凹み等を防止して、フランジ管のフランジの平坦部とテーパ部に求められる精度を確実に得、これらの精度を安定して維持することができる。従って、フランジ管のフランジの平坦部の精度向上により、バンド締結具等でフランジ管の平坦部を当接して締結した際に、例えばフランジ管を流れる排気等の気体の漏れを少なくすることが可能となり、フランジ管の平坦部間にリング状等のガスケットの平板部など介在物の平板部を挟んで締結する場合にも同様のメリットが得られる。
【００１０】
本発明の管端部材は、前記折返し部が前記平坦部に当接するようにして形成されていることを特徴とする。
これによれば、折返し部が平坦部に当接して設けられ、この状態で折返し部の先端がテーパ部を外側に付勢するようにテーパ部に当接することから、局所的な凹み等を確実に防止して、フランジ管のフランジの平坦部とテーパ部に求められる精度をより確実に得、これらの精度を一層安定して維持することができる。
【００１１】
本発明のフランジ管は、本発明の管端部材の前記筒部が管本体の少なくとも片側の端部に嵌合され、前記筒部と前記管本体が嵌合された部分で溶接部によって溶接され、前記管端部材の前記テーパ部の前記管本体への嵌合側の最も端に位置する端部と前記溶接部とが前記管本体の軸方向に２０ｍｍ以上離れていることを特徴とする。
これによれば、管端部材の平坦部の外面と溶接部を管本体の軸方向に２０ｍｍ以上離すことにより、溶接による熱の影響がフランジの平坦面を構成する平坦部の外面に及ぶことを抑制、防止し、平坦部の平面度の精度を向上し、必要とされる精度の平坦部の平面度を確実に得ることができる。より好適には、管端部材の平坦部の外面と溶接部を管本体の軸方向に４０ｍｍ以上離す構成とすると、溶接による熱の影響がフランジの平坦面を構成する平坦部の外面に及ぶことを確実に抑制、防止し、必要とされる高い精度の平坦部の平面度をより確実に得ることができる。また、筒部の長い管端部材を切削加工で形成すると加工時間が長く、製造コストが増加するが、本発明の管端部材は切削加工せずに形成することが可能であることから、低コスト且つ短時間の加工で、平坦部の平面精度の高いフランジ管を得ることができる。
【００１２】
本発明のフランジ管は、自動車に搭載される自動車用部品であることを特徴とする。
これによれば、軽量化されたフランジ管を排気管等の自動車用部品として用い、自動車の燃費性能を向上することができる。
【００１３】
本発明のフランジ管のバンド継手構造は、本発明のフランジ管が一方のフランジ管と他方のフランジ管として用いられ、前記一方のフランジ管に設けられている一の前記管端部材の前記平坦部と、前記他方のフランジ管に設けられている他の前記管端部材の前記平坦部とが互いに当接するように配置され、前記一の管端部材の前記延在部及び前記テーパ部と前記他の管端部材の前記延在部及び前記テーパ部を覆うようにバンド締結具が取り付けられて締結されることを特徴とする。
これによれば、高い精度の平面度を有する平坦部を相互に当接してバンド締結できるので、フランジ管を相互に隙間ができることを防止、最大限抑制し、バンド締結することができる。従って、更に、フランジ管のテーパ部も高い精度を有することから、必要な強度、安定性、耐久性を有するバンド締結を確実に行うことができる。また、フランジを相互にボルトとナットで締結する場合には締結作業の労力が増加するが、バンド締結により、フランジ管を相互に締結する作業労力、作業時間を少なくすることができ、例えばフランジ管の継手構造を車両に搭載する場合等の作業性が向上する。特に、フランジ管が円筒状である場合には、フランジ管の回転を気にかけずにバンド締結することができ、より一層作業性を高めることができる。
【００１４】
本発明の管端部材の製造方法は、本発明の管端部材を製造する方法であって、筒状の中間材の端部に形成された渦巻き状に巻き込まれたカール部を押し潰すようにして、前記管端部材の前記平坦部、前記延在部、前記テーパ部及び前記折返し部を形成する工程を備えることを特徴とする。
これによれば、折返し部の外周面を平坦部に当接させ、折返し部の先端がテーパ部を外側に付勢するようにテーパ部に当接する構造を簡単な工程で確実に成形することができる。
【００１５】
本発明の管端部材の製造方法は、本発明の管端部材を製造する方法であって、筒体を、若しくは板材から形成された筒体を順次プレス成形して、前記平坦部と前記延在部と前記テーパ部と前記折返し部を形成する工程を備えることを特徴とする。
これによれば、管端部材をプレス成形して形成することにより、切削加工で管端部材を製造する場合に比し、管端部材及びフランジ管の製造コストを格段に低減、製造効率を非常に高めることができる。特に、管端部材のテーパ部の管本体への嵌合側の最も端に位置する端部と溶接部とを管本体の軸方向に２０ｍｍ以上離してフランジ管を構成する場合には、プレス成形により、非常に低コスト且つ短時間の加工で、平坦部の平面精度に優れるフランジ管を得ることができる。
【発明の効果】
【００１６】
本発明によれば、フランジ管の製造コストの低減、製造効率の向上、軽量化を図ることができると共に、フランジ管のフランジの平坦部とテーパ部に求められる精度を確実に得て、これらの精度を安定して維持することができる。
【図面の簡単な説明】
【００１７】
【図１】（ａ）は本発明による実施形態の管端部材の斜視図、（ｂ）はその縦断面図、（ｃ）はその平坦部及びテーパ部の周辺を示す部分縦断面図。
【図２】（ａ）は本発明による実施形態のフランジ管の一部の斜視図、（ｂ）はその一部断面正面図、（ｃ）はその管端部材の周辺を示す部分断面図。
【図３】（ａ）は本発明による実施形態のフランジ管のバンド継手構造の斜視図、（ｂ）はその縦断面図。
【図４】（ａ−１）〜（ｃ−１）は実施形態の管端部材の製造工程の前半を説明する説明図、（ａ−２）〜（ｃ−２）は（ａ−１）〜（ｃ−１）の各工程を施した管端部材の中間材のフランジ側の端部周辺を示す拡大説明図。
【図５】（ｄ−１）〜（ｆ−１）は実施形態の管端部材の製造工程の後半を説明する説明図、（ｄ−２）〜（ｆ−２）は（ｄ−１）〜（ｆ−１）の各工程を施した管端部材の中間材のフランジ側の端部周辺を示す拡大説明図。
【図６】（ａ）〜（ｄ）は金属平板から管端部材の中間材を得る製造工程を説明する説明図。
【図７】（ａ）は実施形態のフランジ管を平坦部側から視た図、（ｂ）はそのフランジ管の平坦部の平面度の測定を説明する模式説明図。
【図８】実施形態のフランジ管における平坦部と溶接部との間の長さと平坦部の平面度との関係を示すグラフ。
【図９】（ａ）は従来例の切削部材の環体を備えるフランジ管の一部の部分斜視図、（ｂ）はその縦断面図、（ｃ）はその環体の周辺を示す部分縦断面図、（ｄ）は同図（ａ）のフランジ管のバンド継手構造を示す断面説明図。
【図１０】（ａ）は従来例の折返し加工のフランジを備えるフランジ管の一部の部分斜視図、（ｂ）はその縦断面図、（ｃ）はそのフランジの周辺を示す部分縦断面図、（ｄ）は同図（ａ）のフランジ管のバンド継手構造を示す断面説明図。
【発明を実施するための形態】
【００１８】
〔実施形態の管端部材、フランジ管及びフランジ管のバンド継手構造〕
本発明による実施形態の管端部材２は、図１〜図３に示すように、金属製のフランジ管１の端部に設けられる管端部材２である。本実施形態における管端部材２は、後述する管本体３の両側の端部に嵌合してフランジ管１の両側の端部に設けられるが、管端部材２を管本体３の片側の端部のみに嵌合してフランジ管１の片側の端部のみに設けられる構成としてもよい。尚、フランジ管１、管端部材２、後述するフランジ管１・１のバンド継手構造は、例えば自動車に排気管など自動車に搭載される自動車用部品に用いると良好であるが、水道管など使用可能な範囲で適宜の分野の部品として用いることが可能である。
【００１９】
管端部材２は金属製で筒部２１を有し、筒部２１はフランジ管１の管本体３の端部に嵌合可能に形成されている。本実施形態における筒部２１は円筒状に形成され、その内径が円筒状の管本体３の外径より僅かに大きく形成されており、管本体３に外嵌して嵌合可能になっている。管端部材２には、管本体３への嵌合側と逆側に、筒部２１の端から外方に略直角で折り曲げられて平坦部２２が形成されている。筒部２１の軸方向の外側に位置する平坦部２２の外面２２１は平面度の高い平坦面になっており、外面２２１の平坦面の平面度は、０．１ｍｍ以内の高低差とすると好ましく、０．０５３ｍｍ以内の高低差とするとより好ましい。尚、外面２２１の平坦面の平面度は、０ｍｍに近いことが最も好ましいことから、この平面度は０ｍｍ〜０．１ｍｍ、より好ましくは０ｍｍ〜０．０５３ｍｍ、又は、０ｍｍ超０．１ｍｍ以内、より好ましくは０ｍｍ超０．０５３ｍｍ以内とするとよい。
【００２０】
管端部材２には、平坦部２２の外端から筒部２１側に略直角で折り曲げられて延在部２３が形成され、延在部２３の先端から筒部２１に近づくように傾斜して延びるテーパ部２４が形成されている。更に、管端部材２には、テーパ部２４の先端から筒部２１と平坦部２２と延在部２３で囲まれる空間Ｓ内に折り返される折返し部２５が形成されている。
【００２１】
折返し部２５は、テーパ部２４の先端から空間Ｓ側に湾曲して丸められるように形成されており、折返し部２５の外周面が、平坦部２２に当接する、より好適には筒部２１と平坦部２２に当接するようにして形成されている。折返し部２５は、空間Ｓに入り込むように設けられ、その先端は、テーパ部２４を外側に付勢するようにして当接部２５１でテーパ部２４に当接されている。
【００２２】
そして、管端部材２と管本体３で構成されるフランジ管１では、管端部材２の筒部２１が金属製の管本体３の端部に外嵌して嵌合され、管本体３の端部と筒部２１とが重なった嵌合部分Ｌが設けられる。管端部材２の筒部２１と管本体３は嵌合部分Ｌに形成される或いは嵌合部分Ｌを含むように形成される溶接部４によって溶接され接合される。本実施形態では、嵌合部分Ｌの一部を含むように形成される周状の溶接部４によって筒部２１と管本体３が溶接され、溶接作業の労力を低減している。尚、図示例では、筒部２１の先端と管本体３とが溶接部４で重ね隅肉溶接されているが、例えば重なった嵌合部分Ｌの長さ方向のうちの所定幅の領域について周状に貫通溶接して溶接部を設けるなど、筒部２１と管本体３は適宜の溶接部で溶接することが可能であり、又、適用する溶接方法は、レーザー溶接、シーム溶接、アーク溶接など適用可能な範囲で適宜である。
【００２３】
フランジ管１における筒部２１と管本体３とを接合する溶接部４は、平坦部２２の外面２２１の平面度が溶接による熱影響で低下することを回避するため、管端部材２のテーパ部２４の管本体３への嵌合側の最も端に位置する端部２４１から管本体３の軸方向に２０ｍｍ以上離れた位置に設けることが好ましく、より好適にはテーパ部２４の管本体３への嵌合側の最も端に位置する端部２４１から管本体３の軸方向に４０ｍｍ以上離れた位置に設けるとよい。この離れた位置関係として、図２に管端部材２のテーパ部２４の管本体３への嵌合側の最も端に位置する端部２４１と溶接部４との離間距離Ｔを示す。この離間距離Ｔは管端部材２のテーパ部２４の管本体３への嵌合側の最も端に位置する端部２４１と溶接部４の外面２２１に最も近い箇所との距離になっている。
【００２４】
フランジ管１は、例えば図３に示すバンド継手構造で相互に連結される。図３のバンド継手構造では、フランジ管１が一方のフランジ管１ａと他方のフランジ管１ｂとして用いられ、一方のフランジ管１ａに設けられている一の管端部材２ａの平坦部２２ａと、他方のフランジ管１ｂに設けられている他の管端部材２ｂの平坦部２２ｂとが互いに当接するように配置され、一の管端部材２ａの延在部２３ａ及び折返し部２５ａで付勢されるテーパ部２４ａと、他の管端部材２ｂの延在部２３ｂ及び折返し部２５ｂで付勢されるテーパ部２４ｂを覆うように断面視略山形のバンド締結具５が取り付けられて締結されている。バンド締結具５でフランジ管１ａ、１ｂが締結されたバンド継手構造では、管本体３ａと管端部材２ａが溶接部４ａで溶接して構成される一方のフランジ管１ａと、管本体３ｂと管端部材２ｂとが溶接部４ｂで溶接して構成される他方のフランジ管１ｂが連通し、連通するフランジ管１ａ、１ｂ内を排気、水等の適宜の流体が流通することが可能となる。
【００２５】
次に、本実施形態の管端部材２を製造する工程例について説明する（図４、図５参照）。図４及び図５の製造工程例で管端部材２を製造する際には、円筒形の筒体２６ｍを用いる。筒体２６ｍの素材は例えば鉄、ステンレス、チタン、アルミニウムなど適用可能な適宜の金属材とすることが可能である。そして、断面視略弧状の溝６１１が円周状に形成されている下型６１の上に、筒体２６ｍの下端が溝６１１の内寄りに配置されるようにして筒体２６ｍを載置し、図の太線矢印で示すように、上型６２で筒体２６ｍを下型６１側に押し込んでプレス成形し、外方に弧状に湾曲したカール部２７１ｍを下端に有する中間材の筒体２７ｍを形成する（図４（ａ−１）、（ａ−２）、（ｂ−１）、（ｂ−２）参照）。
【００２６】
その後、溝６１１よりも大径の断面視略弧状の溝６３１が円周状に形成されている下型６３の上に、筒体２７ｍのカール部２７１ｍが溝６３１の内寄りに配置されるようにして筒体２７ｍを載置し、図の太線矢印で示すように、上型６４で筒体２７ｍを下型６３側に押し込んでプレス成形し、外方に弧状に湾曲して渦巻き状に巻き込まれたカール部２８１ｍを下端に有する筒状の中間材である筒体２８ｍを形成する（図４（ｃ−１）、（ｃ−２）、図５（ｄ−１）、（ｄ−２）参照）。
【００２７】
その後、下型６５の平面の上に端部に形成されたカール部２８１ｍを下側にして筒体２８ｍを載置し、上型６６を下型６５側に押し込んでプレス成形し、管端部材２を形成する。この上型６６には、管端部材２の筒部２１、テーパ部２４、延在部２３の外形状に略対応する形状の凹部６６１が設けられており、図の太線矢印で示すように、筒体２８ｍを凹部６６１に入り込ませてプレス成形することにより、渦巻き状に巻き込まれたカール部２８１ｍを押し潰すようにして管端部材２の平坦部２２、延在部２３、テーパ部２４、折返し部２５を形成する（図５（ｅ−１）、（ｅ−２）、（ｆ−１）、（ｆ−２）参照）。渦巻き状に巻き込まれたカール部２８１ｍを押し潰すように成形することにより、折返し部２５の外周面を平坦部２２に当接させ、折返し部２５の先端がテーパ部２４を外側に付勢するようにテーパ部２４に当接する構造を簡単な工程で確実に成形することができる。
【００２８】
尚、上記製造工程例では、円筒形の筒体２６ｍを出発材としたが、図６に示すように、板材である金属製の平板２９１ｍを下型６７と上型６８でプレス成形して（図６の太線矢印参照）、鍔を有する有底円筒形の中間材２９２ｍを形成し、中間材２９２ｍの鍔側と底側を切断線Ｃで切断して筒体２６ｍを形成し、この筒体２６ｍから上記製造工程例の工程を行って管端部材２を形成するようにしてもよい。この場合も、金属製の平板２９１ｍの素材は例えば鉄、ステンレス、チタン、アルミニウムなど適用可能な適宜の金属材とすることが可能である。
【００２９】
本実施形態によれば、フランジ管１のフランジの構成部分を平坦部２２、延在部２３、テーパ部２４、折返し部２５とし、切削加工せずに、筒体又は板材をプレス成形で板金加工する等で得ることができることから、フランジ管１の製造コストの低減、製造効率の向上を図ることができる。また、管端部材２やフランジ管１では、ブロック材の切削加工で形成されたフランジのようにフランジが全体に亘って中実になることがないことから、フランジの構成部分、フランジ管１の軽量化を図ることができる。尚、管端部材２と同一形状、同一サイズの部材を切削加工で構成した一例では、管端部材２の重量７５．９１ｇに対して切削部材は９５．４８ｇとなり、約２０〜２１％の重量の軽量化を図ることができる。
【００３０】
また、平坦部２２、延在部２３、テーパ部２４で囲まれる部分が完全に中空になることなく、当該部分に折返し部２５が設けられ、折返し部２５の先端がテーパ部２４を外側に付勢するようにテーパ部２４に当接することから、局所的な凹み等を防止して、フランジ管１のフランジの平坦部２２に求められる平面度等の精度とテーパ部２４に求められる角度、許容される傾斜面の歪み等の傾斜面の状態の精度を確実に得、これらの精度を安定して維持することができる。特に、折返し部２５を平坦部２２に当接させ、より好ましくは、折返し部２５を筒部２１と平坦部２２に当接させることにより、フランジ管１のフランジの平坦部２２とテーパ部２４に求められる精度をより確実に得、これらの精度を一層安定して維持することができる。
【００３１】
また、管端部材２のテーパ部２４の管本体３への嵌合側の最も端に位置する端部２４１と溶接部４を管本体３の軸方向に２０ｍｍ以上離す構成、より好適には４０ｍｍ以上離す構成とすることにより、溶接による熱の影響がフランジの平坦面を構成する平坦部２２の外面２２１に及び、平坦部２２の外面２２１が歪むこと等を抑制、防止し、平坦部２２の平面度の精度を向上し、必要とされる精度の平坦部２２の平面度、或いは平坦部２２の外面２２１の平面度を確実に得ることができる。また、筒部の長い管端部材を切削加工で形成すると加工時間が長く、製造コストが増加するが、管端部材２は切削加工せずにプレス成形で形成することが可能であることから、非常に低コスト且つ短時間の加工で、平坦部２２の平面精度に優れるフランジ管１を得ることができる。
【００３２】
また、フランジ管１、管端部材２、或いはフランジ管１・１のバンド継手構造を自動車に搭載される自動車用部品として用いる場合には、軽量化されたフランジ管１を排気管等の自動車用部品として用いることができるので、自動車の燃費性能を向上することができる。
【００３３】
また、フランジ管１・１のバンド継手構造では、高い精度の平面度を有する平坦部２２・２２或いは外面２２１・２２１を相互に当接してバンド締結できるので、フランジ管１を相互に隙間ができることを防止、最大限抑制し、バンド締結することができる。更に、フランジ管１のテーパ部２４も高い精度を有することから、必要な強度、安定性、耐久性を有するバンド締結を確実に行うことができる。また、フランジを相互にボルトとナットで締結する場合にはフランジ相互の穴の位置合わせ等で締結作業の労力が増加するが、バンド締結により、フランジ管１・１を相互に締結する作業労力、作業時間を少なくすることができ、例えばフランジ管１の継手構造を車両に搭載する場合等の作業性が向上する。特に、フランジ管１が円筒状である場合には、フランジ管１の回転を気にかけずにバンド締結することができ、より一層作業性を高めることができる。
【００３４】
〔フランジ管の平坦部の平面度の測定結果〕
上記実施形態のフランジ管１の構成において、管端部材２のテーパ部２４の管本体３への嵌合側の最も端に位置する端部２４１と溶接部４との離間距離Ｔを変更して平坦面２２の外面２２１の平面度を測定した結果を図８に示す。フランジ管１における平坦部２２の外面２２１の平面度は、図７（ｂ）に示すように、筒部２１から平坦部２２に至る湾曲部と、平坦部２２から延在部２３に至る湾曲部を除き、任意の断面における平坦部２２の外面２２１の高低差Ｄを測定すると共に、この高低差Ｄを図７（ａ）の平坦部２２の外面２２１の全周に亘って測定した。そして、測定した高低差Ｄのうち最大の高低差を平面度とした。
【００３５】
管端部材２のテーパ部２４の管本体３への嵌合側の最も端に位置する端部２４１と溶接部４との離間距離Ｔは、０ｍｍ、７ｍｍ、２０ｍｍ、４０ｍｍに変更して測定を行った。離間距離Ｔが０ｍｍの場合には、筒部２１の軸方向の長さを端部２４１まで形成して管本体３を嵌合し、溶接部４を形成した。また、離間距離Ｔが７ｍｍ、２０ｍｍの場合には、管端部材２の筒部２１の軸方向の長さを、離間距離Ｔが４０ｍｍの場合の管端部材２の筒部２１の軸方向の長さよりも必要な長さだけ短くした。
【００３６】
離間距離Ｔが０ｍｍ、７ｍｍ、２０ｍｍ、４０ｍｍの場合のそれぞれにおける測定結果の平面度は０．４０７ｍｍ、０．１５７ｍｍ、０．１００ｍｍ、０．０５３０ｍｍであった（図８参照）。フランジ管１・１間の隙間を実用的に許容される範囲に抑える等、フランジ管１やフランジ管１のバンド継手構造の実用性の観点からは、離間距離Ｔ：２０ｍｍ以上、平面度：０．１００ｍｍ以下の構成とすることが好ましく、離間距離Ｔ：４０ｍｍ以上、平面度：０．０５３０ｍｍ以下の構成とするとより好ましい。また、図８から離間距離Ｔが７ｍｍ未満の場合には、平面度が急激に低下することが分かり、少なくとも離間距離Ｔは７ｍｍ以上とするとよい。
【００３７】
〔本明細書開示発明の包含範囲〕
本明細書開示の発明は、発明として列記した各発明、実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００３８】
例えば上記実施形態のフランジ管１、管端部材２、管本体３では、円筒状のフランジ管１、管端部材２、管本体３を例に説明したが、フランジ管１、管端部材２、管本体３は適宜の筒形状とすることが可能であり、例えば断面視略楕円形のフランジ管１、管端部材２、管本体３、或いは断面視略レーストラック形のフランジ管１、管端部材２、管本体３、或いは断面視略多角形のフランジ管１、管端部材２、管本体３等とすることが可能である。
【００３９】
また、管端部材２は、適宜の円筒形の筒体２６ｍから形成することが可能であるが、筒体２６ｍを溶接管とすると、例えば０．１ｍｍに満たない溶接部の段差が排気漏れ等の原因となる可能性がある、管端部材２を円筒状とする場合に溶接熱で真円度が低下する、溶接管を形成する設備が必要となるというデメリットがあることから、筒体２６ｍは軸方向に継ぎ目のないシームレス管とすることが望ましい。
【産業上の利用可能性】
【００４０】
本発明は、例えば自動車に搭載される管構造、住宅或いは都市基盤に設置される管構造等に利用することができる。
【符号の説明】
【００４１】
１、１ａ、１ｂ…フランジ管  ２、２ａ、２ｂ…管端部材  ２１…筒部  ２２、２２ａ、２２ｂ…平坦部  ２２１…外面  ２３、２３ａ、２３ｂ…延在部  ２４、２４ａ、２４ｂ…テーパ部  ２４１…端部  ２５、２５ａ、２５ｂ…折返し部  ２５１…当接部  ２６ｍ、２７ｍ、２８ｍ…筒体  ２７１ｍ、２８１ｍ…カール部  ２９１ｍ…平板  ２９２ｍ…中間材  ３、３ａ、３ｂ…管本体  ４、４ａ、４ｂ…溶接部  ５…バンド締結具  ６１、６３、６５、６７…下型  ６１１、６３１…溝  ６２、６４、６６、６８…上型  ６６１…凹部  Ｓ…筒部と平坦部と延在部で囲まれる空間  Ｌ…管本体と筒部が重なった嵌合部分  Ｔ…管端部材のテーパ部の管本体への嵌合側の最も端に位置する端部と溶接部との離間距離  Ｃ…切断線  Ｄ…高低差  １１…フランジ管  １２…管本体  １２１…外周面  １３…環体  １３１…平坦面  １３２…テーパ面  １３３…内周面  １４…溶接部  １５…バンド締結具  １６…フランジ管  １７…管本体  １７１…外周面  １８…フランジ  １８１…平坦部  １８２…延在部  １８３…テーパ部  １９…バンド締結具
【図１】
2020172959.tif 000003
【図２】
2020172959.tif 000004
【図３】
2020172959.tif 000005
【図４】
2020172959.tif 000006
【図５】
2020172959.tif 000007
【図６】
2020172959.tif 000008
【図７】
2020172959.tif 000009
【図８】
2020172959.tif 000010
【図９】
2020172959.tif 000011
【図１０】
2020172959.tif 000012